(57)【要約】【課題】扉の強度、及び、装飾布の質感や美しさを損なうことなく、装飾布を取り替え自在かつ綺麗に扉前面に取り付けることができる収納家具及び装飾シートを提供すること。【解決手段】収納家具１００は、前面に金属シートが設けられた扉１１０と、前面に装飾布を有するとともに背面にマグネットシートを有する装飾シート２００と、を備える。さらに、装飾シート２００は、装飾布と、装飾布の背面に接着されたマグネットシートと、を有し、マグネットシートの縁部から装飾布がはみ出ており、装飾布のはみ出た部分とマグネットシートとを架け渡すようにテープが貼着されている。【選択図】図１
2018033865.tif 000002
【特許請求の範囲】
【請求項１】
前面に金属シート又はマグネットシートが設けられた扉と、
前面に装飾布を有するとともに、背面に前記扉の金属シート又はマグネットシートに貼り付くマグネットシート又は金属シートを有し、前記扉の前面に貼り付けられる装飾シートと、
具備する収納家具。
【請求項２】
前記装飾シートは、
（ｉ）前記装飾布の背面にマグネットシート又は金属シートが接着されており、
（ｉｉ）前記マグネットシート又は金属シートの縁部から前記装飾布がはみ出ており、
（ｉｉｉ）前記装飾布のはみ出た部分と前記マグネットシート又は金属シートとを架け渡すように、テープが貼着されている、
請求項１に記載の収納家具。
【請求項３】
前記扉は、扉本体を形成する板と、前記板の周囲に配され、前記板から前方に突き出した縁材と、を有し、
前記装飾シートは、前記マグネットシート又は金属シートが前記縁材に囲まれた空間内に完全に収まり、前記マグネットシート又は金属シートの縁部からはみ出ている前記装飾布が前記縁材に当接する、
請求項２に記載の収納家具。
【請求項４】
装飾布と、
前記装飾布の背面に接着されたマグネットシート又は金属シートと、
を有し、
前記マグネットシート又は金属シートの縁部から前記装飾布がはみ出ており、
前記装飾布のはみ出た部分と前記マグネットシート又は金属シートとを架け渡すように、テープが貼着されている、
装飾シート。
【発明の詳細な説明】
【技術分野】
【０００１】
本発明は、リビング等に配置される収納家具、及び、その収納家具に取り付け可能な装飾シートに関する。
【背景技術】
【０００２】
従来、リビング等に配置される収納家具の扉を有効活用するための幾つかの提案がなされている。例えば特許文献１には、収納家具の扉の前面に鏡を取り付けるための構造が開示されている。また特許文献２には、装飾用の板、紙、布に描かれた絵画、写真、タイル様製品、装飾ガラスなどの厚みが異なる種々の表示シートを収納家具の扉の前面に表示可能とし、家具としての装飾性の向上と、表示シートの取り替えによる住空間の雰囲気の変化を愉しむことができる収納家具が記載されている。
【先行技術文献】
【特許文献】
【０００３】
【特許文献１】特開平０８−１７３２５８号公報
【特許文献２】特開２００２−２８２０７３号公報
【発明の概要】
【発明が解決しようとする課題】
【０００４】
ところで、特許文献２に記載された収納家具においては、扉を貫通するような開口（額縁）を設け、この開口に表示シートを嵌め込むとともに、表示シートを透明板と押え板とによって挟み込むことによって保持するようになっている。このように特許文献２の収納家具においては、扉に開口を設ける必要があるので、扉の強度が低下するおそれがある。また、表示シートの前面側には透明板が配されるので、透明板による反射などにより表示シートの装飾としての価値が損なわれることもおそれもある。特に、表示シートとして装飾布を用いた場合には、透明板によりその質感や美しさが損なわれることが懸念される。
【０００５】
本発明は、以上の点を考慮してなされたものであり、扉の強度、及び、装飾布の質感や美しさを損なうことなく、装飾布を取り替え自在かつ綺麗に扉前面に取り付けることができる収納家具及び装飾シートを提供する。
【課題を解決するための手段】
【０００６】
本発明の収納家具の一つの態様は、
前面に金属シート又はマグネットシートが設けられた扉と、
前面に装飾布を有するとともに、背面に前記扉の金属シート又はマグネットシートに貼り付くマグネットシート又は金属シートを有し、前記扉の前面に貼り付けられる装飾シートと、
具備する。
【０００７】
本発明の装飾シートの一つの態様は、
装飾布と、
前記装飾布の背面に接着されたマグネットシート又は金属シートと、
を有し、
前記マグネットシート又は金属シートの縁部から前記装飾布がはみ出ており、
前記装飾布のはみ出た部分と前記マグネットシート又は金属シートとを架け渡すように、テープが貼着されている。
【発明の効果】
【０００８】
本発明によれば、扉の強度、及び、装飾布の質感や美しさを損なうことなく、装飾布を取り替え自在かつ綺麗に扉前面に取り付けることができる収納家具及び装飾シートを実現できる。
【図面の簡単な説明】
【０００９】
【図１】実施の形態に係る収納家具の外観構成を示す斜視図
【図２】扉への装飾シートの取り付けの様子を示す図
【図３】扉の前面側の構成を示す斜視図
【図４】装飾シートを背面側から見た斜視図
【図５】図４のＡ−Ａ’断面を示す装飾シートの断面図
【図６】装飾シートの作成手順を示す図
【発明を実施するための形態】
【００１０】
以下、本発明の実施の形態について、図面を参照して詳細に説明する。
【００１１】
図１は、本発明の実施の形態に係る収納家具の外観構成を示す斜視図である。収納家具１００は、例えばリビングに配置されるクローゼットである。
【００１２】
収納家具１００の扉１１０には装飾シート２００が取り付けられている。装飾シート２００は、前面に絵柄模様が施された装飾布を有する。装飾布は、例えば、染料によって模様が描かれた布であってもよく、刺繍が施された布であってもよい。
【００１３】
図２に示すように、装飾シート２００は扉１１０の前面に取り外し自在に取り付けられる。装飾シート２００は、磁力によって扉１１０に貼着する。
【００１４】
図３は、扉１１０の前面側の構成を示す斜視図である。扉１１０は、扉本体を形成している芯材としての木板１１１と、この木板１１１の周囲を囲むように木材１１１に接着された縁材としての突板１１２と、を有する。本実施の形態の場合、木板１１１の厚さは１５ｍｍであり、突板１１２の厚さは１８ｍｍである。つまり、突板１１２は、木板１１１の表面から前面側に３ｍｍ突き出しており、この３ｍｍの段差内に装飾シート１１０の厚みが収まるようになっている。つまり、装飾シート１１０の厚みは、３ｍｍ以下とされている。ただし、装飾シート１１０の厚みを、必ずしも段差内に収まるようにする必要はない。重要なのは、突板１１２等の縁材によって装飾シート１１０を囲むような段差が形成されていることである。これにより、扉１１０の開閉等により、装飾シート１１０が磁力に打ち勝ってずれようとしても、装飾シート１１０の縁部が縁材に当接することより装飾シート１１０のずれを防止できるようになる。
【００１５】
木板１１１の表面には金属シート１１３が接着されている。本実施の形態の場合、金属シート１１３の厚さは０．２ｍｍである。金属シート１１３は、扉１１０の上端、下端及び中央の３箇所に、扉１１０の横方向に延在して設けられている。これにより、扉１１０の全面に金属シート１１３を設ける場合と比較して、コストを抑えることができる。なお、金属シート１１３の位置はこれに限らない。ただし、少なくとも扉１１０の上端及び下端の横方向に延在して金属シート１１３を設けることにより、装飾シート２００を扉１１０から剥がれにくくすることができる。また、金属シート１１３を扉１１０の前面の全てに設けてもよく、このようにすれば装飾シート２００の扉１１０からの剥がれ及びずれをより防止できる。
【００１６】
図４は、装飾シート２００を背面側から見た斜視図である。装飾シート２００の背面側には、マグネットシート２０２が設けられており、マグネットシート２０２の縁部には紙テープ２０３が貼着されている。
【００１７】
図５は、図４のＡ−Ａ’断面を示す装飾シート２００の断面図である。装飾シート２００は、前面側から背面側に向かって順に、装飾布２０１、マグネットシート２０２及び紙テープ２０３が配置されている。また、図５から分かるように、装飾布２０１はマグネットシート２０２よりも若干大きくなっている。本実施の形態の場合、装飾布２０１はマグネットシート２０２の縁部から２〜３ｍｍはみ出るようになっている。マグネットシート２０２からはみ出た装飾布２０１の縁部は紙テープ２０３に貼り合わされている。このように装飾布２０１の縁部に紙テープ２０３を貼り合わせたことにより、装飾布２０１の縁部のほつれを防止できる。また、装飾布２０１がマグネットシート２０２から剥がれることも防止できる。
【００１８】
図６は、装飾シート２００の作成手順を示す図である。なお、図６は背面側から見た図である。
【００１９】
先ず、図６Ａに示すように、装飾布２０１の背面に接着剤によってマグネットシート２０２を接着する。このとき、マグネットシート２０２の縁部から装飾布２０１が例えば６ｍｍはみ出るようにする。
【００２０】
次に、図６Ｂに示すように、マグネットシート２０２と装飾布２０１を架け渡すように、マグネットシート２０２の四辺に沿って紙テープ２０３を貼着する。
【００２１】
次に、図６Ｃに示すように、マグネットシート２０２の縁よりも若干外側の切断位置Ｌ１（本実施の形態ではマグネットシート２０２の縁よりも２〜３ｍｍ外側の位置）でカッター等により、装飾布２０１及び紙テープ２０３を切断することにより、図６Ｄに示す装飾シート２００が完成する。
【００２２】
このように作成した装飾シート２００は、マグネットシート２０２と金属シート１１３とが磁着することにより、扉１１０の前面に取り付けることができる。居住者は、自分の気に入った絵柄模様の装飾布２０１を有する装飾シート２００を扉１１０に磁着させるだけで、容易に部屋の雰囲気を自分の好みに変えることができる。また、四季の変化などに応じて雰囲気を変えたい場合には、別の絵柄模様の装飾布２０１を有する装飾シート２００に取り替えるだけでよい。
【００２３】
以上説明したように、本実施の形態によれば、前面に金属シート１１３が設けられた扉１１０と、前面に装飾布２０１を有するとともに背面にマグネットシート２０２を有する装飾シート２００と、を備えることにより、部屋の雰囲気や居住者の好みに合った装飾布２０１を有する装飾シート２００を選択して、扉１１０の前面に容易に取り付けることができる収納家具１００を実現できる。
【００２４】
また、芯材である木板１１１に開口などを形成する必要が無いので、扉１１０の強度を確保できる。また、装飾布２０１を保持するための透明板などが必要無いので、装飾布２０１の質感や美しさを損なうことがない。
【００２５】
さらに、本実施の形態においては、装飾シート２００が、装飾布２０１と、装飾布２０１の背面に接着されたマグネットシート２０２と、を有し、マグネットシート２０２の縁部から装飾布２０１がはみ出ており、装飾布２０１のはみ出た部分とマグネットシート２０２とを架け渡すように紙テープ２０３が貼着されている。
【００２６】
この構成によれば、装飾布２０１の縁部のほつれを防止できるようになる。またこの構成によれば、装飾布２０１がマグネットシート２０２から剥がれることも防止できる。またこの構成によれば、扉１１０に装飾シート２００を磁着させた際に、装飾シート２００のうち、マグネットシート２０２が縁材に囲まれた空間内に完全に収まりつつ、マグネットシート２０２の縁部からはみ出ている装飾布２０１が縁材に当接するようになるので、縁材の内周と装飾シート２００の間に隙間が生じずに、縁材の内周に装飾布２０１をピッタリと沿わせることができるので、高級感のある装飾を行うことができる。因みに、扉１１０及びその縁材は、木製なので、湿度や経年変化に応じて若干伸縮するが、本実施の形態の構成によれば、伸縮が生じた場合でも縁材の内周に装飾布２０１がピッタリと沿うので、美観を損なうことがない。
【００２７】
さらに、扉１１０の開閉による扉１１０の移動や振動によって装飾シート２００が微妙にずれたとしても、装飾布２０１の余剰部分によって縁材の内周と装飾シート２００の間に隙間が生じないので、美観が損なわれることがない。
【００２８】
なお、上述の実施の形態では、装飾布２０１のはみ出た部分とマグネットシート２０２とを架け渡すように、紙テープ２０３を貼着した場合について述べたが、紙テープ２０３に代えて例えば布テープを用いてもよく、要は、装飾布２０１のはみ出た部分とマグネットシート２０２とを架け渡すように、テープを貼着すればよい。
【００２９】
また、上述の実施の形態では、扉１１０側に金属シート１１３を設けるとともに装飾シート２００側にマグネットシート２０２を設けた場合について述べたが、これとは逆に、扉１１０側にマグネットシートを設けるとともに装飾シート２００側に金属シートを設けた場合でも、上述の実施の形態と同様の効果を得ることができる。要は、扉１１０と装飾シート２００の一方に金属シートを設け、他方にマグネットシートを設ければよい。
【００３０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００３１】
本発明は、収納家具の扉を装飾する場合に好適である。
【符号の説明】
【００３２】
１００  収納家具
１１０  扉
１１１  木板
１１２  突板
１１３  金属シート
２００  装飾シート
２０１  装飾布
２０２  マグネットシート
２０３  紙テープ
【図１】
2018033865.tif 000003
【図２】
2018033865.tif 000004
【図３】
2018033865.tif 000005
【図４】
2018033865.tif 000006
【図５】
2018033865.tif 000007
【図６】
2018033865.tif 000008